(57)【要約】【課題】被検眼を縮瞳させた状態で被検眼の観察、撮影を行うことができる眼科装置を提供すること。【解決手段】患者眼を検査する眼科装置において、検査対象でない方の眼を照明可能な位置に配置された左眼照明手段及び右眼照明手段と、検査対象の眼が左右何れであるかを検知する左右検知手段と、左右の検知信号に基づいて前記左眼照明手段及び前記右眼照明手段を切換える照明切換手段、を備える。また、患者眼を観察する観察手段と、前記照明手段の照明光量を調節する光量調節手段と、を備える。【選択図】        図１
2004201982.tif 000002
【特許請求の範囲】
【請求項１】
患者眼を検査する眼科装置において、検査対象でない方の眼を照明可能な位置に配置された左眼照明手段及び右眼照明手段と、検査対象の眼が左右何れであるかを検知する左右検知手段と、左右の検知信号に基づいて前記左眼照明手段及び前記右眼照明手段を切換える照明切換手段、を備えることを特徴とする眼科装置。
【請求項２】
請求項１の眼科装置は、患者眼を観察する観察手段と、前記照明手段の照明光量を調節する光量調節手段と、を備えることを特徴とする眼科装置。
【請求項３】
請求項１の眼科装置は、患者眼にスリット光を投影するスリット投影光学系と、スリット投影光軸に対して傾斜した光軸を持つスリット断面撮影光学系を備える前眼部撮影装置であり、隅角撮影モードを選択する撮影モード選択手段と、前記照明切換手段により切換えられた照明手段の照明を前記隅角撮影モードの選択信号に基づいて点灯する点灯手段と、を備えることを特徴とする眼科装置。
【発明の詳細な説明】
【０００１】
【発明の属する技術分野】
本発明は、患者眼を検査（観察、撮影）する眼科装置に関する。
【０００２】
【従来技術】
被検眼前眼部をスリット光により光切断し、シャインプルークの原理に基づいて配置された撮影光学系により前眼部断面画像を得る眼科装置が知られている。この装置によれば、撮影された断面画像の角膜後面と虹彩前面のなす角を隅角として測定することができ、緑内障の検査をすることができる（例えば、特許文献１参照。）。
【０００３】
【特許文献１】
特開平１−２８５２４１号公報（第2、３頁、第１−３図）
【０００４】
【発明が解決しようとする課題】
しかしながら、瞳孔の大きさの調節には個人差があり、上記の装置のように隅角角度を撮影するに際し、単に室内照明の環境下では十分に縮瞳して虹彩皺が延びない場合がある。このため、従来装置では虹彩表面の傾斜角度を正しく決められず、隅角を正確に求められないという問題があった。
【０００５】
本発明は、上記従来技術に鑑み、被検眼を縮瞳させた状態で被検眼の観察、撮影を行うことができる眼科装置を提供することを技術課題とする。
【０００６】
【課題を解決するための手段】
上記課題を解決するために、本発明は以下のような構成を備えることを特徴とする。
【０００７】
（１）  患者眼を検査する眼科装置において、検査対象でない方の眼を照明可能な位置に配置された左眼照明手段及び右眼照明手段と、検査対象の眼が左右何れであるかを検知する左右検知手段と、左右の検知信号に基づいて前記左眼照明手段及び前記右眼照明手段を切換える照明切換手段、を備えることを特徴とする。
【０００８】
（２）  （１）の眼科装置は、患者眼を観察する観察手段と、前記照明手段の照明光量を調節する光量調節手段と、を備えることを特徴とする。
【０００９】
（３）  （１）の眼科装置は、患者眼にスリット光を投影するスリット投影光学系と、スリット投影光軸に対して傾斜した光軸を持つスリット断面撮影光学系を備える前眼部撮影装置であり、隅角撮影モードを選択する撮影モード選択手段と、前記照明切換手段により切換えられた照明手段の照明を前記隅角撮影モードの選択信号に基づいて点灯する点灯手段と、を備えることを特徴とする。
【００１０】
【発明の実施の形態】
以下、本発明の一実施例を図面に基づいて説明する。図１は本発明に係る前眼部断面撮影装置１００の外観図であり、図１（ａ）は被検者側から見た正面図、図１（ｂ）は側面図である。
【００１１】
１０１は検査光学系を収めた測定部、１０２はディスプレイ５５や操作スイッチ等を備えるボディ部、１０３は電源や水平移動機構を収めたベース部、１０４は患者の顔を固定するためのあご台である。ジョイスティック４０の操作により、ボディ部１０２はベース部１０３に対して水平方向に移動する。３２はボディ部１０２に固定されたマイクロスイッチであり、３３はベース部１０３に固定された板材である。板材３３はベース部１０３上面に段差をつける目的で取り付けられ、ボディ部１０２が左右に移動されると、マイクロスイッチがＯＮ／ＯＦＦする。マイクロスイッチ３２のＯＮ／ＯＦＦにより、検査対象の眼が左右何れであるかが検知される。
【００１２】
測定部１０１には検査対象でない方の眼を縮瞳させる光量で照明するための照明ＬＥＤ３０ａ、３０ｂが設けられている。照明ＬＥＤ３０ａ、３０ｂは、図２に示す様に、測定部１０１に収納された検査光学系の基準軸Ｌ１を挟んで左右に配置されており、右眼ＥRを検査するときには左眼ＥLの前部に照明ＬＥＤ３０ｂが位置し、左眼ＥLを検査するときには右眼ＥRの前部に照明ＬＥＤ３０ａが位置する。
【００１３】
図３は前眼部断面撮影装置１００の測定部１０１の光学系を示す図である。
【００１４】
＜スリット投影光学系＞  １は反射鏡、２は撮影用のフラッシュランプ、３はコンデンサレンズ、４はスリット開口絞り、５は投光レンズ、６はスリット投影光学系の光軸である基準軸Ｌ１上に斜設されたダイクロイックミラーである。ダイクロイックミラー６は可視光の大部分を透過し、赤外光を反射する特性を持つ。
【００１５】
フラッシュランプ２を発した光束はコンデンサレンズ３によって集光してスリット開口絞り４を照明する。スリット開口絞り４により細いスリット状に制限された光束は、投光レンズ５、ダイクロイックミラー６を透過し、被検眼に投影される。これにより、被検眼前眼部の透光体（角膜、前房、水晶体等）は、可視域の白色光源で光切断された形で照明される。
【００１６】
＜スリット断面撮影光学系＞  Ｌ２はスリット断面撮影光学系の撮影光軸を示す。７は撮影レンズ、８は像の歪みを補正するためのアナモフィックレンズ、９はＣＣＤカメラである。スリット断面撮影光学系の光軸Ｌ２は、スリット投影光学系の光軸Ｌ１に対して４５度の傾き角度を持って配置されている。撮影レンズ７はシャインプルークの原理を満たすように光軸Ｌ２に対して傾いて配置されている。すなわち、スリット投影光による被検眼前眼部の光切断の延長とＣＣＤカメラ９の撮像面９ａの延長との交線が、撮影レンズ７の主平面の延長線で交わるように配置されている。この光学配置により、ＣＣＤカメラ９の撮像面９ａ上に形成される断面像は、その断面像の略全体で合焦する焦点深度を持つようにすることができる。
【００１７】
＜アライメント指標投影光学系＞  １３はアライメント用の近赤外光源、１４はダイクロイックミラー、１５は投影レンズである。光源１３から発した光はダイクロイックミラー１４を通過し、投影レンズ１５により平行光束にされた後、ビームスプリッタ２０で反射する。その後、アライメント光はダイクロイックミラー６により反射され光軸Ｌ１に沿って被検眼Ｅに向かい、角膜頂点から角膜曲率半径の半分の距離だけ眼内側の位置に光源像を形成する。
【００１８】
＜固視標呈示光学系＞  １１は可視光を発する固視光源である。光源１１から発した光は、ダイクロイックミラー１４、投影レンズ１５、ビームスプリッタ２０、ダイクロイックミラー６を経て被検眼Ｅに投影される。
【００１９】
＜前眼部正面撮像光学系＞  ２１は撮像レンズ、２３は赤外域に感度を有する正面観察用のＣＣＤカメラである。アライメント指標投影光学系により投影されたアライメント光束のうち角膜で反射した一部の光束は、ダイクロイックミラー６で反射した後、ビームスプリッタ２０を通過して撮像レンズ２１によりＣＣＤカメラ２３で撮像される。また、前眼部照明光源１０により照明された被検眼Ｅの前眼部像も同じ光路を経てＣＣＤカメラ２３により撮像される。
【００２０】
図４は前眼部断面撮影装置１００及び画像解析部２００の電気系の構成を説明する図である。
【００２１】
＜前眼部断面撮影部＞  ＣＣＤカメラ９からの出力信号は、Ａ／Ｄ変換回路５０によりデジタル化され、タイミングジェネレータ５１の信号に同期してフレームメモリ５２に取り込まれる。フレームメモリ５２に取り込まれた画像の信号はＤ／Ａ変換回路５３を介してビデオ信号に変換された後、画像切換回路５４に送られる。画像切換回路５４は制御部６０の指令信号を受け、ディスプレイ５５の表示画像をＣＣＤカメラ２３からの撮影画像とＣＣＤカメラ９からの撮影画像とに切換える。５６は画像合成回路であり、表示回路５７により生成される各種の情報表示とＣＣＤカメラ９、２３からの画像とを合成してディスプレイ５５に表示する。
【００２２】
フレームメモリ５２にフリーズ記憶された前眼部断面画像は、画像転送スイッチ６３に入力によりインターフェイス回路６４を介して画像解析部２００に転送される。
【００２３】
＜画像解析部＞  ２０１は前眼部断面撮影装置１００から入力された断面画像データに画像処理を施して解析するコンピュータ部であり、画像データを記憶保持するメモリや画像解析のための解析プログラムを有する。コンピュータ部２０１には、操作指示の入力を行うキーボード２０２、マウス２０３が接続されている。２０４は前眼部断面撮影装置１００から入力された断面画像や解析結果を表示するカラーディスプレイであり、２０５はビデオプリンタである。ディスプレイ２０４、ビデオプリンタ２０５はコンピュータ部２０１によって制御される。
【００２４】
以上のような構成の装置の動作を説明する。まず、検者はボディ部１０２に設けられたモード選択スイッチ６１を押し、隅角撮影モードにする。ちなみに、本装置には、隅角撮影モードのほかに前眼部断面撮影をして水晶体の混濁具合を撮影する水晶体撮影モード等がある。次に、患者の頭をあご台１０４に固定した後、検者はジョイスティック４０を操作し、測定部１０１の光軸Ｌ1を患者眼に合わせる様にボディ部１０２をベース部１０３に対して左右方向へ移動させる。そして、マイクロスイッチ３２と板材３３の段差により、患者の右眼を測定する場合は、マイクロスイッチ３２がＯＮになり、左眼を測定する場合は、マイクロスイッチ３２がＯＦＦになる。つまり、マイクロスイッチ３２のＯＮの場合は右眼測定、マイクロスイッチ３２のＯＦＦの場合は左眼測定であることが検知される。
【００２５】
患者の被検眼には固視光源１１を固視させ、ＣＣＤカメラ２３により撮像された被検眼の正面画像は画像切換回路５４を介してディスプレイ５５に送られる。検者はディスプレイ５５に映し出されるアライメント指標像と電気的に形成されたレチクル像（光学的に形成することでも良い）が所定の関係になるように、ジョイスティック４０の操作により被検眼に対して測定部１０１を上下左右に移動してアライメントを行う。これにより測定部１０１の光学系と被検眼Ｅとの光軸合わせができる。また、測定部１０１を前後させてアライメント指標像が最も小さくクリアな像となるように作動距離のアライメントを行う。
【００２６】
隅角撮影モードが設定されると、制御部６０は、このモード選択信号とマイクロスイッチ３２からの信号に基づいて検査対象でない方の眼を照明ＬＥＤ３０ａ、３０ｂによって照明する。つまり、制御部６０はマイクロスイッチ３２がＯＮの場合は右眼測定であるので照明ＬＥＤ３０ｂを点灯させ、マイクロスイッチ３２がＯＦＦの場合は左眼測定であるので照明ＬＥＤ３０ａを点灯させる。また、検者はディスプレイ５５に映し出される前眼部像の瞳孔の開き具合を観察し、患者が眩しさの苦痛を訴えない範囲で、瞳が縮瞳するように光量調節つまみ６５を操作して照明ＬＥＤ３０ａまたは照明ＬＥＤ３０ｂの光量を調節する。検査対象でない方の眼が照明ＬＥＤ３０ａ、３０ｂによって照明されることによって、検査対象でない方の眼が縮瞳されるが、これに連動して検査対象の眼も縮瞳される。
【００２７】
以上の撮影準備を完了させたら、検者は撮影スイッチ６２を押してフラッシュランプ２を点灯し、スリット光により光切断された前眼部断面像がＣＣＤカメラ９により撮影される。隅角撮影モードが設定されているので、制御部６０は、水晶体撮影モードに比べてフラッシュランプ２の光量を下げて点灯させる。水晶体撮影では透光体の散乱光を撮影するので照明光量を大きくする必要があるが、隅角撮影では、虹彩が透光体でないため虹彩の反射光量が大きすぎると虹彩表面の傾斜角度がわかりづらく、解析できなくなるので、これを防止するために光量を下げている。
【００２８】
撮影像はフレームメモリ５２に記憶されると共に、ディスプレイ５５の表示画像が観察画像から切換えられて撮影像が表示される。フレームメモリ５２に記憶された前眼部断面画像は画像転送スイッチ６３を押すことによって画像解析部２００へ転送される。
【００２９】
次に、検者は、画像解析部２００を用いて得られた前眼部断面画像から隅角の測定を行う。前眼部断面撮影装置１００から転送された画像はコンピュータ部２０１が持つフレームメモリに取り込まれる。また、フレームメモリに取り込まれた画像はカラーディスプレイ２０４に表示される。検者は図５に示すようにマウス２０３を操作して隅角の測定を行う。まず、図５（ａ）に示す様に前眼部断面画像の虹彩の表面に合わせるようにマウス２０３で直線Ｌａを引く。次に、図５（ｂ）に示す様に角膜後面全体に渡ってポイントＰを３〜１０点指定する。その後、コンピュータ部２０１は、図５（ｃ）に示す様に指定されたポイントＰをもとに最小二乗近似による二次曲線Ｃを描き、二次曲線Ｃと直線Ｌａの交点の接線Ｌｃと直線Ｌａの交わる角度Ａを隅角として求める。隅角Ａは、図５（ｃ）に示す様に画面の右下部にAPPARENT ANGLEとして表示される。検査対象でない方の眼の縮瞳に連動して検査対象の眼も縮瞳されているので、図５（ａ）に示す虹彩表面の傾斜角度を正しく決めることができ、隅角を正確に求めることができる。
【００３０】
上記実施の形態では、検査対象でない方の眼を縮瞳させる照明光源を、照明ＬＥＤ３０ａ、３０ｂとしたが、照明光源はＬＥＤに限らず、ランプや、平面発光するＥＬ（Electro Luminescence）など他の照明光源であってもよい。
【００３１】
また、上記実施の形態では、眼科装置として前眼部断面撮影装置を一例としてあげたが、本発明はこれに限定されるものではなく、対象とする観察、検査眼とは異なるもう片方の眼を照明して瞳孔の大きさを調節する装置に適用されるものである。
【００３２】
【発明の効果】
以上説明したように、本発明によれば、被検眼の瞳孔の大きさを調節して被検眼の観察、撮影を行うことができる。また、検者の負担を軽減できる。
【図面の簡単な説明】
【図１】前眼部断面撮影装置の外観図である。
【図２】照明ＬＥＤの配置を示す図である。
【図３】前眼部断面撮影装置の光学系を示す図である。
【図４】前眼部断面撮影装置及び画像解析部の制御系構成図である。
【図５】撮影された前眼部断面画像を表示した図である。
【符号の説明】
２  フラッシュランプ
３  コンデンサレンズ
４  スリット開口絞り
７  撮影レンズ
８  アナモフィックレンズ
９  ＣＣＤカメラ
２３  ＣＣＤカメラ
３０ａ  照明ＬＥＤ
３０ｂ  照明ＬＥＤ
３２  マイクロスイッチ
３３  板材
５５  ディスプレイ
６０  制御部
６５  光量調節つまみ
１００  前眼部断面撮影装置
【図１】
2004201982.tif 000003
【図２】
2004201982.tif 000004
【図３】
2004201982.tif 000005
【図４】
2004201982.tif 000006
【図５】
2004201982.tif 000007